(57)【要約】【課題】被検査物側の第２のハウジング２０から突出するプローブ３４の先端側の長さにバラツキがなくて、先端を当接させた際に当接する力にバラツキがなく、しかも製作工程の少ないプローブを備えた検査治具を提供する。【解決手段】間隔を設けて平行に配設した第１と第２のハウジング１８、２０に、間隔方向から少し斜めに傾いた直線上に偏平なプローブ孔２２、２４をそれぞれ穿設する。導電金属板から打ち抜き製作したプローブ３４を第１のハウジング１８側から第１と第２のハウジング１８、２０のプローブ孔２２、２４に、その偏平により姿勢を規制して挿通し、プローブ３４の先端側の段差部３６で先端側が第２のハウジング２０から外側に突出し後端側が第１のハウジング２０から外側に少し突出した状態で挿入を規制する。第１のハウジング１８の外側に接続基板２６を積層配設して、プローブ３４を板厚方向に撓ませる。【選択図】  図１
2008249460.tif 000002
【特許請求の範囲】
【請求項１】
接続基板側の第１のハウジングと被検査物側の第２のハウジングを間隔を設けて平行に配設し、前記第１と第２のハウジングに前記間隔方向から少し斜めに傾いた直線上でそれぞれにプローブ孔を穿設し、しかも前記プローブ孔の少なくとも一方を前記斜めに傾いた方向が短い偏平とし、導電金属板から打ち抜いて製作したプローブを前記第１のハウジング側から前記第１と第２のハウジングの前記プローブ孔に前記偏平な孔によってその姿勢を規制して挿通するとともに、前記プローブの先端部側に設けた段差部により先端が前記第２のハウジングから外側に突出するとともに後端が前記第１のハウジングから外側に少し突出した状態でそれ以上の挿入を規制するようにし、前記第１のハウジングの外側に前記接続基板を積層配設して前記プローブがその板厚方向に撓むように構成したことを特徴とするプローブを備えた検査治具。
【請求項２】
請求項１記載のプローブを備えた検査治具において、前記プローブを、導電金属板の少なくとも一面に絶縁材がコーテイングされた部分とされない部分を設けた材料から先端部が前記コーテイングされない部分となるように打ち抜いて製作し、前記絶縁材のコーテイングされない部分とされた部分の板厚方向の厚さの違いにより前記段差部を形成するように構成したことを特徴とするプローブを備えた検査治具。
【請求項３】
請求項１記載のプローブを備えた検査治具において、前記プローブを、導電金属板から打ち抜いて製作し、先端部に先端側の幅が狭い幅方向の違いにより前記段差部を形成するように構成したことを特徴とするプローブを備えた検査治具。
【請求項４】
請求項１ないし３記載のいずれかのプローブを備えた検査治具において、前記第１と第２のハウジングは、それぞれにプローブ孔を穿設した複数の板材を前記斜めに傾いた方向に少しずつ順次にずらして積層配設して構成したことを特徴とするプローブを備えた検査治具。
【発明の詳細な説明】
【技術分野】
【０００１】
本発明は、プローブの先端を被検査物に当接させて当該被検査物の電気的特性を検査するためのプローブを備えた検査治具に関するものである。
【背景技術】
【０００２】
プローブを備えた従来の検査治具におけるプローブは、特許第３５０５４９５号公報に示されるように、導電性の線材を適宜な長さに切断して一方の先端を尖らせ、軸方向中間部の外周に絶縁材をコーテイングしたものである。
【特許文献１】特許第３５０５４９５号公報
【０００３】
かかるプローブを備えた従来の検査治具の一例を図６を参照して簡単に説明する。図６は、プローブを備えた従来の検査治具の一例の製作工程を示す図である。図６（ａ）に示す長い導電性の線材が、図６（ｂ）に示すごとく適宜な長さに切断され、さらに図６（ｃ）に示すごとく先端１０ａが尖らされるとともに後端１０ｂが丸くされて導電体１０が形成される。そして、この導電体１０の軸方向中間部に、図６（ｄ）に示すごとく絶縁材１２がコーテイングされて、プローブ１４が形成される。ここで、絶縁材１２のコーテイングの厚みにより、先端側のコーテイングがされない部分と中間部側のコーテイングされた部分の外径の違いで、先端側が細い段差部１６が形成されている。かかる構成のプローブ１４が、図６（ｅ）に示すごとく、間隔を設けて平行に配設された接続基板側の第１のハウジング１８と被検査物側の第２のハウジング２０に、間隔方向から少し斜めに傾いた直線上でそれぞれに穿設したプローブ孔２２、２４に、第１のハウジング１８側から挿入される。プローブ１４の先端部に形成された段差部１６が第２のハウジング２０に穿設したプローブ孔２４を挿通し得ないように設定されることで、プローブ１４がその先端を第２のハウジング２０から外側に突出させ後端を少しばかり第１のハウジング１８から外側に突出した状態で、挿入が規制される。さらに、図６（ｆ）に示すごとく、第１のハウジング１８の外側に、接続基板２６が積層配設される。すると、プローブ１４は、後端の少し突出していた部分が第１のハウジング１８内にに押し込められ、少し撓んだ状態となる。ここで、プローブ１４が、第１のハウジング１８と第２のハウジング２０に、間隔方向から少し斜めに傾いた方向に挿入されているので、撓みもこの傾いた方向に生ずる。もって、多数本のプローブ１４、１４…が全て同方向に撓むこととなる。そして、プローブ１４、１４…の先端を被検査物に当接させると、プローブ１４、１４…はさらに撓むが、それらの撓みが同方向であって、プローブ１４、１４…同士が接触するようなことがない。なお、プローブ１４、１４…は、一例として０．１ｍｍピッチの間隔で設置されている。
【発明の開示】
【発明が解決しようとする課題】
【０００４】
上述のごときプローブを備えた従来の検査治具の構造にあっては、線材を切断する長さおよび先端１０ａと後端１０ｂの加工精度のバラツキや導電体１０に絶縁材１２がコーテイングされる位置のバラツキ等から、第２のハウジング２０から突出する導電体１０の先端側の長さにバラツキを生ずる虞がある。また、第１と第２のハウジング１８、２０間での撓みにもバラツキが生ずる虞がある。そこで、被検査物に導電体１０の先端１０ａを当接させた際に、先端１０ａが被検査物に当接する力にバラツキが生ずる虞がある。さらに、上記従来構造では、プローブ１４の製造に、線材の切断と両端の加工さらに絶縁材のコーテイングと３工程が必要であり、製造コストが高いものとならざるを得ない。
【０００５】
本発明は、上述したごときプローブを備えた従来の検査治具の構造の事情に鑑みてなされたもので、ハウジングから突出する導電体の先端側の長さにバラツキがなく、そして被検査物に導電体の先端を当接させた際に、当接する力にバラツキがなく、さらに製造工程の少ないプローブを備えた検査治具を提供することを目的とする。
【課題を解決するための手段】
【０００６】
かかる目的を達成するために、本発明のプローブを備えた検査治具は、接続基板側の第１のハウジングと被検査物側の第２のハウジングを間隔を設けて平行に配設し、前記第１と第２のハウジングに前記間隔方向から少し斜めに傾いた直線上でそれぞれにプローブ孔を穿設し、しかも前記プローブ孔の少なくとも一方を前記斜めに傾いた方向が短い偏平とし、導電金属板から打ち抜いて製作したプローブを前記第１のハウジング側から前記第１と第２のハウジングの前記プローブ孔に前記偏平な孔によってその姿勢を規制して挿通するとともに、前記プローブの先端部側に設けた段差部により先端が前記第２のハウジングから外側に突出するとともに後端が前記第１のハウジングから外側に少し突出した状態でそれ以上の挿入を規制するようにし、前記第１のハウジングの外側に前記接続基板を積層配設して前記プローブがその板厚方向に撓むように構成されている。
【０００７】
そして、前記プローブを、導電金属板の少なくとも一面に絶縁材がコーテイングされた部分とされない部分を設けた材料から先端部が前記コーテイングされない部分となるように打ち抜いて製作し、前記絶縁材のコーテイングされない部分とされた部分の板厚方向の厚さの違いにより前記段差部を形成するように構成しても良い。
【０００８】
また、前記プローブを、導電金属板から打ち抜いて製作し、先端部に先端側の幅が狭い幅方向の違いにより前記段差部を形成するように構成しても良い。
【０００９】
さらに、前記第１と第２のハウジングは、それぞれにプローブ孔を穿設した複数の板材を前記斜めに傾いた方向に少しずつ順次にずらして積層配設して構成することもできる。
【発明の効果】
【００１０】
請求項１記載のプローブを備えた検査治具にあっては、プローブを導電金属板から打ち抜いて製作するので、その製造工程が少ない。そして、第１と第２のハウジングに穿設したプローブ孔の少なくとも一方を偏平としたので、プローブが挿入される姿勢が規制される。しかも、プローブの先端部側に段差部を設けて挿入を規制するので、プローブの先端側が第２のハウジングから外側に突出する長さが一定となる。また、段差部による挿入の規制で、後端が第１のハウジングから外側に少し突出する長さが一定となり、第１のハウジングの外側に接続基板を積層配設してプローブを板厚方向に撓めると、その撓みが一定となる。そこで、被検査物にプローブの先端を当接させた際に、その当接する力にバラツキが生じない。
【００１１】
請求項２記載のプローブを備えた検査治具にあっては、プローブを、導電金属板の少なくとも一面に絶縁材がコーテイングされた部分とされない部分を設けた材料から、先端部がコーテイングされない部分となるように打ち抜いて製作するので、打ち抜く金型を用いて量産に好適である。
【００１２】
請求項３記載のプローブを備えた検査治具にあっては、プローブが、導電金属板から打ち抜かれて製作されていて、先端部に先端側の幅が狭い幅方向の違いにより段差部を形成するので、請求項２と同様に、打ち抜く金型を用いて量産に好適である。
【００１３】
請求項４記載のプローブを備えた検査治具にあっては、第１と第２のハウジングが、それぞれにプローブ孔を穿設した複数の板材を少しずつ順次にずらして積層配設することで、プローブ孔を斜めに傾いた方向に簡単に設けることができる。
【発明を実施するための最良の形態】
【００１４】
以下、本発明の第１実施例を図１ないし図２を参照して説明する。図１は、本発明のプローブを備えた検査治具の第１実施例の製作工程を示す図である。図２は、図１の第１と第２のハウジングに少し斜めに傾いた直線上にプローブ孔を穿設する構造を示す図である。図１およぶ図２において、図６に示す部材と同じまたは均等なものには同じ符号を付けて重複する説明を省略する。
【００１５】
本発明の第１実施例にあっては、図１（ａ）に示す片面に絶縁材１２がコーテイングされた部分とされない部分を設けた導電金属板から、図１（ｂ）に示すごとく適宜な長さのプローブ３４がプレス加工等により打ち抜かれて、図１（ｃ）に示すごとく形成される。ここで、プローブ３４の先端側は絶縁材１２がコーテイングされておらず、中間部側はコーテイングされており、絶縁材１２のコーテイングの厚みにより板厚方向で先端側が薄い段差部３６が形成される。なお、先端３４ａが尖らされるとともに後端３４ｂが丸く形成される。そして、このプローブ３４が、図１（ｄ）に示すごとく、間隔を設けて平行に配設された接続基板側の第１のハウジング１８と被検査物側の第２のハウジング２０に、間隔方向から少し斜めに傾いた直線上でそれぞれに穿設したプローブ孔２２、２４に、第１のハウジング１８側から挿入される。
【００１６】
第１のハウジング１８と第２のハウジング２０は、それぞれ複数枚の絶縁板が積層配設されており、それぞれの絶縁板には、図２（ａ）に示す少し偏平な角穴３８、３８…がプレス加工等により穿設され、これらを図２（ｂ）に平面図を、図２（ｃ）に縦断面図を示すように、複数枚の絶縁板を少しずつ偏平な方向に順次にずらして配設することで、第１のハウジング１８と第２のハウジング２０に、その間隔方向から少し斜めに傾いた直線上でそれぞれに穿設したプローブ孔２２、２４が設けらる。これらのプローブ孔２２、２４は、ずらした方向が短い偏平であり、プローブ３４は姿勢が規制されて挿入される。
【００１７】
そして、第１のハウジング１８側から、第１のハウジング１８と第２のハウジング２０のプローブ孔２２、２４に挿入されたプローブ３４は、その先端部に形成された段差部３６が第２のハウジング２０に穿設したプローブ孔２４を挿通し得ないように設定することで、プローブ３４がその先端側を第２のハウジング２０から外側に突出させ後端側を少しばかり第１のハウジング１８から外側に突出させた状態で、挿入が規制される。そこで、図１（ｅ）に示すごとく、第１のハウジング１８の外側に、接続基板２６を積層配設すると、プローブ３４は、後端側の少し突出していた部分が第１のハウジング１８内に押し込められ、少し撓んだ状態となる。ここで、プローブ３４が、第１のハウジング１８と第２のハウジング２０に、間隔方向から少し斜めに傾いた方向を板厚方向として姿勢が規制されて挿入されているので、撓みも板厚方向のこの傾いた方向に生ずる。もって、多数本のプローブ３４、３４…が全て同方向に撓むこととなる。そして、プローブ３４、３４…の先端を被検査物に当接させると、プローブ３４、３４…はさらに撓むが、それらの撓みも同方向であって、プローブ３４、３４…同士が接触するようなことがない。なお、プローブ３４、３４…は、従来例と同様に、例えば、０．１ｍｍピッチの間隔で設置される。
【００１８】
かかる製作工程による本発明のプローブを備えた検査治具にあっては、プローブ３４を片面に絶縁材１２がコーテイングされた導電金属板から打ち抜いて製作するので、その製作工程が少なく、プレス加工等により金型を用いて量産に好適である。そして、第１のハウジング１８と第２のハウジング２０に間隔方向から少し斜めに傾いた直線上でそれぞれに穿設したプローブ孔２２、２４を、傾いた方向に偏平としたので、プローブ３４が挿入される姿勢が、傾いた方向の偏平方向を板厚方向とする姿勢に規制される。しかも、プローブ３４の先端部側に段差部３６を設けて挿入を規制するので、プローブ３４の先端側が第２のハウジング２０から外側に突出する長さが一定となり、また後端側の第１のハウジング１８から外側に少し突出する長さも一定となり、第１のハウジング２０の外側に接続基板２６を積層配設してプローブ３４を板厚方向に撓めると、その撓みが一定となる。そこで、被検査物にプローブ３４の先端を当接させた際に、その当接する力にバラツキを生ずることがない。また、第１のハウジング１８と第２のハウジング２０が、それぞれに角穴３８を穿設した複数の絶縁板を少しずつ順次にずらして積層配設することで、プローブ孔２２、２４を形成していて、斜めに傾いた方向のプローブ孔２２、２４を簡単に穿設することができる。
【００１９】
図３は、図１の第１と第２のハウジングに少し斜めに傾いた直線上にプローブ孔を穿設する他の構造を示す図である。図３の構造にあっては、図２の構造の角孔３８に代えて、複数枚の絶縁板に図３（ａ）に示すごときそれぞれ丸孔４０を穿設して、複数枚の絶縁板が少しずつ順次にずらして積層配設されて第１のハウジング１８と第２のハウジング２０が形成される。丸孔４０の穿設を、それぞれの絶縁板にプレス加工等により穿設しても良いが、ドリル等により穿設することもできる。かかる丸孔４０を穿設した複数枚の絶縁板を少しずつ順次にずらして配設することで、図３（ｂ）の平面図に示される寸法ｂよりも図３（ｃ）の縦断面図に示すされる寸法ｃが小さくなり、ｂ＞ｃとなって、偏平なプローブ孔２２、２４が構成される。
【００２０】
次に、本発明の第２実施例を図４を参照して説明する。図４は、本発明のプローブを備えた検査治具の第２実施例の製作工程を示す図である。図４において、図１ないし図３および図６に示す部材と同じまたは均等なものには同じ符号を付けて重複する説明を省略する。
【００２１】
本発明の第２実施例にあっては、図４（ａ）に示す導電金属板から、図４（ｂ）に示すごとく適宜な長さと形状のプローブ４４がプレス加工等により打ち抜かれて、図４（ｃ）に示すごとく形成される。ここで、プローブ４４の先端側は幅方向で先端側が狭い段差部４６が形成される。なお、先端４４ａが尖らされるとともに後端４４ｂが丸く形成される。そして、このプローブ４４が、それぞれに片面に絶縁材１２がコーティングされて、図４（ｄ）の平面から見た縦断面図と図４（ｅ）の側面から見た縦断面図に示されるごとく、間隔を設けて平行に配設された接続基板側の第１のハウジング１８と被検査物側の第２のハウジング２０の間隔方向から少し斜めに傾いた直線上にそれぞれに穿設したプローブ孔２２、２４に、第１のハウジング１８側から挿入される。
【００２２】
そして、第１のハウジング１８側から、第１のハウジング１８と第２のハウジング２０のプローブ孔２２、２４に挿入されたプローブ４４は、その先端部に形成された段差部４６が第２のハウジング２０に穿設したプローブ孔２４を挿通し得ないように設定することで、プローブ４４がその先端側を第２のハウジング２０から外側に突出させ後端側を少しばかり第１のハウジング１８から外側に突出させた状態で、挿入が規制される。そこで、第１のハウジング１８の外側に、接続基板２６を積層配設すると、プローブ４４は、後端側の少し突出していた部分が第１のハウジング１８内に押し込められ、少し撓んだ状態となる。
【００２３】
かかる製作工程による本発明の第２実施例のプローブを備えた検査治具にあっては、プローブ４４を導電金属板から打ち抜いて製作するので、その製造工程が少なく、プレス加工等により金型を用いて量産に好適である。そして、打ち抜き後に絶縁材１２をコーテイングするが、このコーテイングによりプローブ４４の先端側が第２のハウジング２０から外側に突出する長さを一定とするような作用をしておらず、コーテイングの位置にバラツキがあっても何ら問題を生じない。そして、プローブ４４の先端部側に段差部４６を設けて挿入を規制するので、プローブ４４の先端側が第２のハウジング２０から外側に突出する長さが確実に一定となり、また後端側の第１のハウジング１８から外側に少し突出する長さも一定となる。しかも、絶縁材１２の剥離が生じて第２のハウジング２０から外側に突出する長さが変化することもない。
【００２４】
さらに、本発明の第３実施例を図５を参照して説明する。図５は、本発明のプローブを備えた検査治具の第３実施例の製作工程を示す図である。図５において、図１ないし図４および図６に示す部材と同じまたは均等なものには同じ符号を付けて重複する説明を省略する。
【００２５】
本発明の第３実施例にあっては、図５（ａ）に示す片面に絶縁材１２がコーテイングされた部分とされない部分を設けた導電金属板から、図５（ｂ）に示すごとく適宜な長さと形状のプローブ５４がプレス加工等により打ち抜かれて、図５（ｃ）に示すごとく形成される。ここで、プローブ５４の先端側は絶縁材１２がコーテイングされておらず、中間部側はコーテイングされている。ここで、プローブ５４の先端側は幅方向で先端側が狭い段差部５６が形成される。なお、先端５４ａが尖らされるとともに後端５４ｂが丸く形成される。そして、このプローブ５４が、図５（ｄ）の平面から見た縦断面図と図５（ｅ）の側面から見た縦断面図に示されるごとく、間隔を設けて平行に配設された接続基板側の第１のハウジング５８と被検査物側の第２のハウジング６０に、間隔方向から少し斜めに傾いた直線上となるように少し位置をずらしてそれぞれに穿設したプローブ孔６２、６４に、第１のハウジング５８側から挿入される。なお、第３実施例の第１のハウジング５８と第２のハウジング６０は、それぞれ一枚の絶縁板に図２に示すごとき偏平な角穴のプローブ孔６２、６４が穿設される。
【００２６】
かかる製作工程による本発明の第３実施例のプローブを備えた検査治具にあっては、プローブ５４を片面に絶縁材１２をコーテイングした導電金属板から打ち抜いて製作するので、その製造工程が少なく、プレス加工等により金型を用いて量産に好適である。そして、プローブ５４の先端部側に段差部５６を設けて挿入を規制するので、プローブ５４の先端側が第２のハウジング６０から外側に突出する長さが確実に一定となり、また後端側の第１のハウジング５８から外側に少し突出する長さも一定となる。しかも、第１のハウジング５８と第２のハウジング６０は、それぞれ一枚の絶縁板からなり、しかもそれぞれの一枚の絶縁板にプローブ孔６２、６４が位置をずらして穿設されて構成されており、その構造がより簡単である。
【００２７】
なお、上記第１ないし第３実施例において、いずれもプローブ３４、４４、５４の片面に絶縁材１２がコーテイングされているが、両面にコーテイングされても良い。また、第２および第３実施例において、いずれもプローブ４４、５４の先端が被測定物に当接されて撓まされた際に、プローブ４４、５４が相互に接触する虞がなければ、絶縁材１２のコーテイングを設けなくても良い。さらに、上記実施例では、第１のハウジング１８、５８と第２のハウジング２０、６０のいずれに穿設されたプローブ孔２２、２４、６２、６４も偏平であるが、第１のハウジング１８、５８と第２のハウジング２０、６０の少なくともいずれか一方に穿設されるプローブ孔２２、６２または２４、６４が偏平であれば良く一方の偏平なプローブ孔２２、６２または２４、６４で挿入されるプローブ３４、４４、５４の姿勢を規制できれば良い。
【図面の簡単な説明】
【００２８】
【図１】本発明のプローブを備えた検査治具の第１実施例の製作工程を示す図である。
【図２】図１の第１と第２のハウジングに少し斜めに傾いた直線上にプローブ孔を穿設する構造を示す図である。
【図３】図１の第１と第２のハウジングに少し斜めに傾いた直線上にプローブ孔を穿設する他の構造を示す図である。
【図４】本発明のプローブを備えた検査治具の第２実施例の製作工程を示す図である。
【図５】本発明のプローブを備えた検査治具の第３実施例の製作工程を示す図である。
【図６】プローブを備えた従来の検査治具の一例の製作工程を示す図である。
【符号の説明】
【００２９】
１２  絶縁材
１４、３４、４４、５４  プローブ
１６、３６、４６、５６  段差部
１８、５８  第１のハウジング
２０、６０  第２のハウジング
２２、２４、６２、６４  プローブ孔
２６  接続基板
【図１】
2008249460.tif 000003
【図２】
2008249460.tif 000004
【図３】
2008249460.tif 000005
【図４】
2008249460.tif 000006
【図５】
2008249460.tif 000007
【図６】
2008249460.tif 000008